(57)【特許請求の範囲】
【請求項１】
並列接続された主蒸発器（７）および副蒸発器（１１）を有する冷凍サイクルに適用され、かつ、前記副蒸発器（１１）に流入する冷媒を減圧膨張させる温度式膨張弁であって、
高圧側冷媒が導入される入口冷媒通路（１３、１４）と、
この入口冷媒通路（１３、１４）より導入された冷媒を減圧膨張させる絞り通路（１７）と、
この絞り通路（１７）の開度を調整する弁体（１５）と、
前記絞り通路（１７）にて減圧膨張した冷媒を前記副蒸発器（１１）に供給する出口冷媒通路（１９）と、
前記副蒸発器（１１）を通過した冷媒が流れる蒸発器出口通路（２０）と、
この蒸発器出口通路（２０）に設けられ、この蒸発器出口通路（２０）の冷媒温度を感知する感温部材（２１）と、
前記弁体（１５）を変位させる圧力応動部材（２２）と、
この圧力応動部材（２２）の一面側に形成され、前記蒸発器出口通路（２０）の冷媒温度が前記感温部材（２１）を介して伝達され、前記冷媒温度に対応した圧力が作用する第１圧力室（２８）と、
前記圧力応動部材（２２）の他面側に形成され、前記蒸発器出口通路（２０）の冷媒圧力が作用する第２圧力室（２９）と、
前記入口冷媒通路（１３、１４）の冷媒を前記蒸発器出口通路（２０）の前記感温部材（２１）近傍位置に減圧して直接導入するバイパス通路（３７）とを備えることを特徴とする温度式膨張弁。
【請求項２】
前記入口冷媒通路（１３、１４）、前記絞り通路（１７）、前記出口冷媒通路（１９）および前記蒸発器出口通路（２０）を形成する膨張弁本体（１２）を備え、
この膨張弁本体（１２）に、前記入口冷媒通路（１３、１４）と前記蒸発器出口通路（２０）との間を直結するように前記バイパス通路（３７）が形成されており、
前記バイパス通路（３７）に、前記バイパス通路（３７）より十分小さな開口面積を持つ絞り（３８）が配置されていることを特徴とする請求項１に記載の温度式膨張弁。
【請求項３】
冷媒を圧縮し吐出する圧縮機（１）と、
この圧縮機（１）から吐出されたガス冷媒を冷却し凝縮させる凝縮器（２）と、
この凝縮器（２）で凝縮した液冷媒を減圧膨張させる第１の膨張弁（６）と、この第１の膨張弁（６）と並列に設けられ、前記凝縮器（１１）で凝縮した液冷媒を減圧膨張させる第２の膨張弁（１０）と、
前記第１の膨張弁（６）にて減圧膨張した冷媒を蒸発させる第１の蒸発器（７）と、
この第１の蒸発器（７）と並列に設けられ、前記第２の膨張弁（１０）にて減圧膨張した冷媒を蒸発させる第２の蒸発器（１１）とを備え、
前記第１、第２の蒸発器（７、１１）のうち、一方は、主に使用される主蒸発器（７）であり、他方は選択的に使用される副蒸発器（１１）であり、
前記第１、第２の膨張弁（６、１０）のうち、一方は、前記主蒸発器（７）への流入冷媒を減圧膨張させる主膨張弁（６）であり、他方は前記副蒸発器（１１）への流入冷媒を減圧膨張させる副膨張弁（１０）であり、
この副膨張弁（１０）を、請求項１または２に記載の温度式膨張弁により構成したことを特徴とする冷凍サイクル装置。
【請求項４】
車室内前席側を空調する前席側空調ユニット（４）および車室内後席側を空調する後席側空調ユニット（８）と、
請求項３に記載の冷凍サイクル装置とを備え、
前記前席側空調ユニット（４）に前記主蒸発器（７）および前記主膨張弁（６）を配置し、
前記後席側空調ユニット（８）に前記副蒸発器（１１）および前記副膨張弁（１０）を配置したことを特徴とする車両用空調装置。
【発明の詳細な説明】
【０００１】
【発明の属する技術分野】
本発明は主蒸発器と副蒸発器とを並列配置するとともに、この両蒸発器の冷媒入口部にそれぞれ温度式膨張弁を配置する冷凍サイクル装置において、副蒸発器側の温度式膨張弁の改良に関する。
【０００２】
【従来の技術】
従来、車室内の前席側領域および後席側領域をそれぞれ独立に空調制御するために、車室内の前席側および後席側の双方に空調ユニットを配置し、この前後の両空調ユニット内にそれぞれ冷房用の蒸発器を収納するとともに、この前後の両蒸発器と、これら蒸発器に流入する冷媒を減圧するための膨張弁（減圧手段）とをそれぞれ並列に配置した車両空調用冷凍サイクル装置が知られている。
【０００３】
ここで、膨張弁は、蒸発器の熱負荷変動に対応して蒸発器出口での冷媒の過熱度を所定値に維持するために、蒸発器出口の冷媒温度を感知して弁開度を変化させて、サイクル冷媒流量を調整している。
このような冷凍サイクル装置では、後席側蒸発器の冷媒入口部に電磁弁を配置して、この電磁弁の開閉により後席側蒸発器への冷媒流入を制御している。
【０００４】
【発明が解決しようとする課題】
ところで、上記の冷凍サイクル装置において、電磁弁作動音の防止や、コストダウンのために、後席側の電磁弁を廃止することがある。電磁弁を廃止しても、後席側の空調ユニットの作動が停止して、後席側蒸発器への送風が停止されると、後席側蒸発器での冷媒蒸発（吸熱）がほとんど停止されるので、膨張弁の弁体と弁座間の微小隙間を通過する冷媒が蒸発器出口まで気液２相の飽和状態のまま流れてくるので、後席側膨張弁におけるダイヤフラム両側の圧力室間に圧力差が発生せず、膨張弁の弁体をばね手段のばね力にて閉弁させることができる。
【０００５】
しかし、前席側空調ユニットのみ作動させて、後席側空調ユニットを停止している時（前席側空調ユニットの単独運転時）には、実際には、次の理由から後席側膨張弁の弁体が開閉振動を繰り返し、振動音を発生することが分かった。
すなわち、前席側空調ユニットの単独運転時に、前席側蒸発器のフロスト防止のために、圧縮機作動が断続（ＯＮ−ＯＦＦ）制御されると、これに伴って、図３に示すように、サイクル低圧圧力の変動が起こる。そして、圧縮機の作動（ＯＮ）によりサイクル低圧圧力が低下していく過程において、この低圧圧力の低下に比して後席側膨張弁の感温部の温度低下の方が遅れるので、ダイヤフラム片側の感温側圧力室に比して、他の片側の圧力室の圧力（低圧圧力）の方が低くなる。その結果、後席側膨張弁の弁体が図３のＡ部に示すように微小に開弁する。
【０００６】
このように、圧縮機の断続作動に伴って、その都度、後席側膨張弁の弁体が微小に開弁し、その際に、弁体が振動して振動音を発生することが分かった。
本発明は上記点に鑑みてなされたもので、主蒸発器と副蒸発器とを並列配置する冷凍サイクル装置において、副蒸発器側の温度式膨張弁の弁振動音の発生を抑制することを目的とする。
【０００７】
【課題を解決するための手段】
上記目的を達成するため、請求項１に記載の発明では、高圧側冷媒が導入される入口冷媒通路（１３、１４）と、この入口冷媒通路（１３、１４）より導入された冷媒を減圧膨張させる絞り通路（１７）と、この絞り通路（１７）の開度を調整する弁体（１５）と、絞り通路（１７）にて減圧膨張した冷媒を副蒸発器（１１）に供給する出口冷媒通路（１９）と、副蒸発器（１１）を通過した冷媒が流れる蒸発器出口通路（２０）と、この蒸発器出口通路（２０）に設けられ、この蒸発器出口通路（２０）の冷媒温度を感知する感温部材（２１）と、弁体（１５）を変位させる圧力応動部材（２２）と、この圧力応動部材（２２）の一面側に形成され、蒸発器出口通路（２０）の冷媒温度が感温部材（２１）を介して伝達され、この冷媒温度に対応した圧力が作用する第１圧力室（２８）と、圧力応動部材（２２）の他面側に形成され、蒸発器出口通路（２０）の冷媒圧力が作用する第２圧力室（２９）とを備え、
さらに、入口冷媒通路（１３、１４）の冷媒を蒸発器出口通路（２０）の感温部材（２１）近傍位置に減圧して直接導入するバイパス通路（３７）を備えることを特徴としている。
【０００８】
これによると、弁体（１５）上流側の入口冷媒通路（１３、１４）の部位から高圧液冷媒をバイパス通路（３７）を通して減圧し、蒸発器出口通路（２０）の感温部材（２１）近傍位置に直接導入できる。そして、通路（２０）内にて、バイパス通路（３７）からの流入冷媒（気液２相状態）の一部が蒸発して感温部材（２１）を冷却することができる。
【０００９】
そのため、サイクル低圧圧力が低下しても、バイパス通路（３７）からの冷媒が低圧圧力の低下に対応した飽和温度まで感温部材（２１）を冷却することができる。その結果、第１圧力室（２８）と第２圧力室（２９）の圧力をほぼ同一にすることができ、弁体（１５）を閉弁状態に維持できる。
従って、図３のＡ部に示す、低圧圧力の低下による弁体（１５）の微小な開弁を防止でき、弁振動音の発生を抑制することができる。
【００１０】
また、請求項２記載の発明では、請求項１において、入口冷媒通路（１３、１４）、絞り通路（１７）、出口冷媒通路（１９）および蒸発器出口通路（２０）を形成する膨張弁本体（１２）を備え、この膨張弁本体（１２）に、入口冷媒通路（１３、１４）と蒸発器出口通路（２０）との間を直結するようにバイパス通路（３７）が形成されており、バイパス通路（３７）に、バイパス通路（３７）より十分小さな開口面積を持つ絞り（３８）が配置されていることを特徴としている。
【００１１】
これにより、バイパス通路（３７）の穴径を加工性の点から比較的大きな寸法にしても、絞り（３８）によりバイパス通路（３７）を通過する冷媒量を所望量に制限することができる。そのため、バイパス通路（３７）の加工性の確保と、バイパス通路（３７）を通過する冷媒流れによる冷房性能低下への悪影響の抑止とを両立させることができる。
【００１２】
また、請求項３記載の発明では、冷媒を圧縮し吐出する圧縮機（１）と、この圧縮機（１）から吐出されたガス冷媒を冷却し凝縮させる凝縮器（２）と、この凝縮器（２）で凝縮した液冷媒を減圧膨張させる第１の膨張弁（６）と、この第１の膨張弁（６）と並列に設けられ、凝縮器（１１）で凝縮した液冷媒を減圧膨張させる第２の膨張弁（１０）と、第１の膨張弁（６）にて減圧膨張した冷媒を蒸発させる第１の蒸発器（７）と、この第１の蒸発器（７）と並列に設けられ、第２の膨張弁（１０）にて減圧膨張した冷媒を蒸発させる第２の蒸発器（１１）とを備え、
第１、第２の蒸発器（７、１１）のうち、一方は、主に使用される主蒸発器（７）であり、他方は選択的に使用される副蒸発器（１１）であり、
第１、第２の膨張弁（６、１０）のうち、一方は、主蒸発器（７）への流入冷媒を減圧膨張させる主膨張弁（６）であり、他方は副蒸発器（１１）への流入冷媒を減圧膨張させる副膨張弁（１０）であり、
この副膨張弁（１０）を、請求項１または２に記載の温度式膨張弁により構成した冷凍サイクル装置を特徴としている。
【００１３】
さらに、請求項４記載の発明では、車室内前席側を空調する前席側空調ユニット（４）および車室内後席側を空調する後席側空調ユニット（８）と、請求項３に記載の冷凍サイクル装置とを備え、
前席側空調ユニット（４）に主蒸発器（７）および主膨張弁（６）を配置し、後席側空調ユニット（８）に副蒸発器（１１）および副膨張弁（１０）を配置した車両用空調装置を特徴としている。
【００１４】
本発明は、具体的には、請求項３記載の冷凍サイクル装置および請求項４記載の車両用空調装置において好適に実施できる。
なお、上記各手段の括弧内の符号は、後述する実施形態記載の具体的手段との対応関係を示すものである。
【００１５】
【発明の実施の形態】
以下、本発明の実施の形態を図に基づいて説明する。
図１は車両用空調装置の冷凍サイクル装置に本発明膨張弁を適用した一実施形態を示し、図中、１は自動車のエンジンルーム内に配置される圧縮機であって、この圧縮機１は電磁クラッチ１ａ等を介して自動車エンジン（図示せず）により駆動され、冷媒を圧縮、吐出するものである。圧縮機１の吐出冷媒ガスは、エンジンルーム内の凝縮器２に送られ、ここで、図示しない冷却ファンにより送風される外気と熱交換して冷却され、冷媒ガスが凝縮する。この凝縮冷媒は、受液器３内にて気液を分離され、液冷媒が受液器３内に溜まる。
【００１６】
４は車室内の前席側を空調する前席側空調ユニットで、車室内前部の計器盤内側に配置される。この前席側空調ユニット４には、前席側電動送風機５、前席側温度式膨張弁６、および冷房用熱交換器としての前席側蒸発器（主蒸発器）７が備えられている。前席側蒸発器７の空気吹出部には温度センサ７ａが配置され、この温度センサ７ａの検出温度（蒸発器冷却温度）が所定値以下に低下すると、電磁クラッチ１ａへの通電を遮断して圧縮機１の運転を停止することにより前席側蒸発器７のフロストを防止するようになっている。
【００１７】
前席側温度式膨張弁６は、受液器３からの高温高圧の液冷媒を低温低圧の気液２相冷媒に減圧する減圧手段をなすもので、前席側蒸発器７の出口部の冷媒の過熱度が予め設定した所定値となるように弁開度を調整して、冷媒流量を調整するものである。
次に、８は車室内の後席側を空調する後席側空調ユニットで、車室内後部（後席側方部等）に配置される。この後席側空調ユニット８には、後席側電動送風機９、後席側温度式膨張弁１０、および冷房用熱交換器としての後席側蒸発器（副蒸発器）１１が備えられている。後席側温度式膨張弁１０は、受液器３からの高温高圧の液冷媒を低温低圧の気液２相冷媒に減圧する減圧手段をなすもので、後席側蒸発器１１の出口部の冷媒の過熱度が予め設定した所定値となるように弁開度を調整して、冷媒流量を調整するものである。
【００１８】
上記した前席側温度式膨張弁６および後席側温度式膨張弁１０は基本的には同一構造のものでよいが、後席側温度式膨張弁１０には本発明独自の工夫点が設けられている。以下、後席側温度式膨張弁１０の具体的構造を図２により詳述すると、１２は後席側温度式膨張弁１０の本体ケースで、アルミニュウム等の金属で略直方体状に成形されている。この本体ケース１２の下方部右側には冷凍サイクルの受液器３からの液冷媒が流入する冷媒入口１３が開口している。
【００１９】
この冷媒入口１３は本体ケース１２の下方中央部に形成された弁体収容室１４に連通しており、この室１４内には、膨張弁１０の球状の弁体１５、及びこの弁体１５を支持する支持部材１６が収容されている。この弁体１５と支持部材１６は溶接等により結合されている。本例では、冷媒入口１３と弁体収容室１４とにより入口冷媒通路を構成している。
【００２０】
１７は冷媒入口１３からの液冷媒を減圧する絞り通路で、その入口部に弁体１５に対向する円錐状の弁座１７ａが形成されており、この絞り通路１７の開度を弁体１５により調整するようになっている。本例では、上記した絞り通路１７および弁体１５により膨張弁１０の弁体機構部１０Ａが構成されている。
１８は絞り通路１７の中心部を貫通して配設された弁棒で、その下端部は球状の弁体１５に当接している。１９は絞り通路１７を通過して減圧された低温、低圧の気液２相冷媒が流れる出口冷媒通路で、本体ケース１２の上下方向の略中間部位に形成されており、この出口冷媒通路１９は後席側蒸発器１１の冷媒入口部に接続される。
【００２１】
２０は後席側蒸発器１１にて蒸発したガス冷媒が流れる蒸発器出口通路で、本例では、本体ケース１２の上方部において左右方向に円筒状に貫通するように形成されている。この蒸発器出口通路２０の入口端（図２の左端）は後席側蒸発器１１の冷媒出口部に接続され、出口端（図２の右端）は圧縮機１の吸入口に接続される。
【００２２】
２１は後席側膨張弁１０の感温棒で、変位伝達部材としての役割も兼ねるものであり、アルミニュウム等の熱伝導の良好な金属にて円柱状に形成されている。この感温棒２１は蒸発器出口通路２０を貫通して配設され、後席側蒸発器１１で蒸発した過熱ガス冷媒の温度を感知する感温手段をなすものである。すなわち、感温棒２１は前記過熱ガス冷媒の流れ中に位置することにより、過熱ガス冷媒の熱が伝導され、過熱ガス冷媒の温度を感知するものである。
【００２３】
この感温棒２１の具体的形態について説明すると、蒸発器出口通路２０を貫通する小径の軸部２１ａと、この小径軸部２１ａの端部に形成され、後述のダイヤフラム２２に当接するダイヤフラムストッパ部２１ｂとから構成されている。このダイヤフラムストッパ部２１ｂは、感温棒２１の上端部側（ダイヤフラム２２側端部）から円板状に外径を拡大した形状に一体成形されている。
【００２４】
次に、後席側膨張弁１０の弁体１５を作動させる弁体駆動部１０Ｂについて説明すると、弁体１５に当接された弁棒１８の上端は感温棒２１の下端面に当接しており、この感温棒２１の小径軸部２１ａの下端部近傍の外周溝部にはシール用のＯリング２３が配設され、本体ケース１２の孔部２４に対して感温棒２１は気密に、かつ摺動可能に嵌合している。
【００２５】
感温棒２１の上端部のダイヤフラムストッパ部２１ｂは本体ケース１２の最上部の外面側に配置されたダイヤフラム（圧力応動部材）２２に当接している。従って、このダイヤフラム２２が上下方向に変位すると、この変位に応じて円柱状感温棒２１、弁棒１８を介して弁体１５も変位するようになっている。本例では、弁棒１８と感温棒２１とにより変位伝達部材が構成されている。
【００２６】
ダイヤフラム２２の外周縁部は、上下のケース部材２５、２６の間に挟持されて支持されている。このケース部材２５、２６はステンレス（ＳＵＳ３０４）等の金属材で構成され、溶接、ろう付け等により一体に接合されている。下側のケース部材２６は本体ケース１２の最上部にねじ止めにて固定されており、このねじ止め固定部はゴム製の弾性シール材（パッキン）２７にて気密になっている。
【００２７】
そして、ケース部材２５、２６内の空間はダイヤフラム２２により上側室（第１圧力室）２８と下側室（第２圧力室）２９に仕切られている。
上側室２８には冷媒充填用のキャピラリチューブ３０が接合されているが、このチューブ３０の先端は閉塞されているので、上側室２８は密封空間である。この上側室２８の内部には冷凍サイクル内の循環冷媒と同種の冷媒ガスが充填されており、この封入ガスは感温棒２１の感知した蒸発器出口の過熱ガス冷媒温度が金属製ダイヤフラム２２を介して伝導され、この過熱ガス冷媒温度に応じた圧力変化を示す。
【００２８】
従って、ダイヤフラム２２はステンレス（ＳＵＳ３０４）のように弾性に富み、かつ熱伝導が良好で、強靱な材質にて形成することが好ましい。
一方、下側室２９は、感温棒２１のダイヤフラムストッパ部２１ｂの周囲の空隙、この空隙の下方部に形成される圧力導入用の空間３１および環状連通路３２を通して、蒸発器出口通路２０に連通しており、この蒸発器出口通路２０の冷媒圧力が下側室２９内に導入される。すなわち、下側室２９内の圧力は通路２０と同一の圧力となる。
【００２９】
また、本体ケース１２の最下部には球状弁体１５の支持機構１０Ｃが設けられている。本体ケース１２の最下部には外部に開口したねじ穴部３３が設けられ、このねじ穴部３３に調整ナット３４がねじ止め固定されている。この調整ナット３４はその外周部にシール用のＯリング３５が装着されており、これによりねじ穴部３３との間を気密にシールしている。
【００３０】
３６はコイルばね（ばね手段）であり、その一端は調整ナット３４により支持され、他端は弁体１５の支持部材１６に支持されている。従って、調整ナット３４の締めつけ位置の調整により、コイルばね３６の取付荷重を調整できる。
後席側膨張弁１０は、上記したように本体ケース１２内に感温棒２１を内蔵するタイプのもので、その全体形状が概略箱状であるため、一般にボックス型と称されており、ここまでの構造は前席側膨張弁６も同一である。
【００３１】
次に、後席側膨張弁１０独自の工夫点について説明すると、本体ケース１２において、弁体１５の上流側の弁体収容室１４の部位、すなわち、高圧液冷媒の入口部位から蒸発器出口通路（低圧側通路）２０に直接連通するバイパス通路３７が設けてある。このバイパス通路３７の出口部は、そこからの流出冷媒により感温棒２１を良好に冷却できるようにするため、感温棒２１に近接して配置してある。
【００３２】
また、バイパス通路３７の入口部には、弁体収容室１４からバイパス通路３７へ流入する高圧液冷媒の流れを所定量以下に絞るためのオリフィス（絞り）３８が配置してある。このオリフィス３８は適宜の金属で形成され、バイパス通路３７の入口部に圧入で固定されている。
ここで、バイパス通路３７の穴径は、加工性の観点からφ２．０ｍｍ程度の大きさであり、これに対して、オリフィス３８は、バイパス通路３７を通過する冷媒量を微小量（５〜１０ｋｇ／ｈ以下）に抑えるために、φ０．２〜０．３ｍｍ程度の微小穴径が好ましい。
【００３３】
次に、上記構成において作動を説明する。いま、図１の冷凍サイクル装置において、前席側空調ユニット４の送風機５および後席側空調ユニット８の送風機９の駆動用モータに通電して、この両送風機５、９をともに作動させると、前席側および後席側の両蒸発器７、１１に空調空気が送風される。また、電磁クラッチ１ａに通電すると、電磁クラッチ１ａが接続状態となって、圧縮機１が車両エンジンの動力により回転駆動される。
【００３４】
この状態では、圧縮機１の作動によりサイクル内に冷媒が循環し、周知のごとく前席側膨張弁６および後席側膨張弁１０により高圧液冷媒が減圧されて低温低圧の気液２相冷媒となり、この気液２相冷媒が蒸発器７、１１にて空調空気から蒸発潜熱を吸熱して蒸発することにより、空調空気を冷却する。
ここで、後席側膨張弁１０を例にとって、その具体的作動を説明すると、膨張弁１０の弁体駆動部１０Ｂにおいて、ダイヤフラム２２の上側室２８内の封入ガスに、感温棒２１、金属製ダイヤフラム２２を介して、通路２０内の蒸発器出口の過熱ガス冷媒温度が伝導される。そのため、上側室２８内の圧力は通路２０の過熱ガス冷媒温度に応じた圧力となり、一方、ダイヤフラム２２の下側室２９内の圧力は通路２０の冷媒圧力（低圧圧力）となる。
【００３５】
従って、この両室２８、２９内の圧力差と、弁体１５を上方へ押圧するばね３６の取り付け荷重とのバランスで、弁体１５が変位することになる。そして、この弁体１５の変位により絞り通路１７の開度が調整され、冷媒流量が自動調整される。この冷媒流量の調整作用により、蒸発器出口のガス冷媒の過熱度が所定値に維持される。
【００３６】
ところで、本実施形態においては、前述したように、後席側膨張弁１０の本体ケース１２において、弁体１５の上流側の弁体収容室１４の部位から蒸発器出口通路（低圧側通路）２０に直接連通するバイパス通路３７が設けてあるため、弁体１５および後席側蒸発器１１をバイパスする冷媒流れが生じるが、この冷媒流れは、オリフィス３８の絞り作用により微小量（５〜１０ｋｇ／ｈ以下）に抑えることができる。
【００３７】
そのため、バイパス通路３７による冷媒のバイパス流れによる圧縮機１の動力増加分を２〜５％程度の微小量に抑えることができる。
また、前後の空調ユニット４、８のうち、前席側空調ユニット４の送風機５のみを作動させ、後席側空調ユニット８の送風機９を停止させると、後席側蒸発器１１での冷媒蒸発（吸熱）がほとんど停止されるので、後席側膨張弁１０の弁体１５と弁座１７ａ間の微小隙間を通過する冷媒が蒸発器出口通路２０まで気液２相の飽和状態のまま流れてくる。その結果、後席側膨張弁１０におけるダイヤフラム２２上側の圧力室２８内の冷媒圧力が蒸発器出口通路２０の圧力と同一となり、両側の圧力室２８、２９間に圧力差が発生しないので、弁体１５をばね３６のばね力にて閉弁させることができる。
【００３８】
ところで、前席側空調ユニット４の単独運転時における実際のサイクルの挙動としては、前席側蒸発器７の冷却温度（温度センサ７ａの検出温度）に応じて圧縮機１の運転が断続されると、これに伴ってサイクル低圧圧力が前述の図３に示すように変動し、このサイクル低圧圧力の低下過程において後席側膨張弁１０の弁体１５が微小に開弁しようとする現象が発生する。
【００３９】
しかし、本実施形態によると、後席側膨張弁１０において、弁体１５の上流側の弁体収容室１４の部位から蒸発器出口通路２０に直接連通するバイパス通路３７が設けてあるため、弁体収容室１４の高圧液冷媒がオリフィス３８で減圧され、バイパス通路３７を通過して蒸発器出口通路２０の感温棒２１近傍位置に直接流入する。
【００４０】
そして、通路２０内にて、バイパス通路３７からの流入冷媒（気液２相状態）の一部が蒸発して感温棒２１を冷却する。ここで、圧縮機ＯＮ時にサイクル低圧圧力が図３のように低下しても、バイパス通路３７から常時冷媒が流入し、この流入冷媒が直ちに低圧圧力の低下に対応した飽和温度まで感温棒２１を冷却することができる。
【００４１】
その結果、ダイヤフラム２２上側の圧力室２８内の冷媒圧力を圧縮機ＯＮ時にも常に蒸発器出口通路２０の圧力（サイクル低圧圧力）とほぼ同一にすることができ、弁体１５をばね３６のばね力にて閉弁した状態に維持できる。すなわち、本実施形態によると、図３のＡ部に示す、低圧圧力の低下による弁体１５の微小な開弁を防止でき、弁振動音の発生を抑制することができる。
【００４２】
（他の実施形態）
なお、上述の実施形態では、バイパス通路３７の入口部に高圧液冷媒の流れを絞るためのオリフィス３８を配置しているが、バイパス通路３７自身の穴径（開口断面積）を十分小さくすることが可能な場合は、オリフィス３８を廃止することもできる。
【図面の簡単な説明】
【図１】本発明を適用する車両用空調装置の冷凍サイクル図である。
【図２】図１の後席側膨張弁の縦断面図である。
【図３】本発明および従来技術の作動説明図である。
【符号の説明】
１０…後席側膨張弁、１１…後席側蒸発器、１２…本体ケース、１５…弁体、
１７…絞り通路、２０…蒸発器出口通路、２１…感温棒、
２２…ダイヤフラム、２８…上側室（第１圧力室）、
２９…下側室（第２圧力室）、３７…バイパス通路、３８…オリフィス。
【図１】
0003924935.tif 000002
【図２】
0003924935.tif 000003
【図３】
0003924935.tif 000004